(57)【特許請求の範囲】
【請求項１】
機器ケース（１４）内に収容された支持板（１８）と、
支持板（１８）とキートップ（２）の間に取り付けられ、キートップ（２）を上下動自在に案内するクロスリンク（１３）と、
キートップ（２）を上方へ付勢する復帰バネ（２４）と、
支持板（１８）上にスライド自在に支持される可撓性シート（３）と、
キートップ（２）を覆う蓋（２９）の開閉操作に連動して、可撓性シート（３）を、動作位置と退避位置の間でスライドさせる連動機構（２５）（２６）と、
可撓性シート（３）に形成され、可撓性シート（３）の動作位置で、キートップ（２）の押し下げにより動作するスイッチ部（３ａ）とを備え、
蓋（２９）の閉じ操作で、退避位置にスライドする可撓性シート（３）によって、クロスリンク（１３）を沈み込ませ、キートップ（２）を下降させるとともに、スイッチ部（３ａ）を、キートップ（２）が下降しても動作しない位置まで退避させるキーボードスイッチにおいて、
支持板（１８）からクロスリンク（１３）を支持する支持突起（１１）（１２）を切り起こし、
スライド方向を長手方向とし、支持突起（１１）（１２）を遊嵌するスリット（１９）と、クロスリンク（１３）に一体に連設された従動爪片（１５）を挿入させる係合孔（１６）とが穿設された矩形状とした可撓性シート（３）の隣り合う少なくとも２辺を、剛性の枠状リンク部（２７）に固定し、枠状リンク部（２７）を介して可撓性シート（３）を連動機構（２５）（２６）に連結し、
可撓性シート（３）が退避位置へスライドする際に、スリット（１９）に遊嵌する支持突起（１１）（１２）により可撓性シート（３）のスライドを案内するとともに、スライドする係合孔（１６）の周縁（１６ａ）を従動爪片（１５）に当接とさせて、クロスリンク（１３）を沈み込ませ、キートップ（２）を下降させることを特徴とするキーボードスイッチ。
【請求項２】
連動機構は、可撓性シート（３）のスライド方向を軸方向として機器ケース（１４）に枢支され、周面にカム溝（２５ａ）が形成されたシリンダ（２５）と、可撓性シート（３）のスライド方向にスライドし、シリンダ（２５）の周面に嵌合する嵌合面に、カム溝（２５ａ）に係合する従動ピン（２６ａ）が突設されたスライダ（２６）とからなる円筒カムで構成され、
開閉操作による蓋（２９）の回転でシリンダ（２５）を回転させ、スライダ（２６）に固定した枠状リンク部（２７）を、動作位置と退避位置の間で、往復移動させることを特徴とする請求項１記載のキーボードスイッチ。
【請求項３】
スリット（１９）のスライド方向に沿った一辺に、係合孔（１６）を連続して穿設することを特徴とする請求項１または２記載のキーボードスイッチ。
【発明の詳細な説明】
【０００１】
【発明の属する技術分野】
本発明は、キートップを覆う蓋が備えられたノート型パソコンなどのキーボードスイッチに関し、特に、蓋を閉じた際にキートップが収納のために下降するキーボードスイッチに関する。
【０００２】
【従来の技術】
【０００３】
収納のためにキートップが下降するキーボードスイッチは、従来から知られている。図１２乃至図１４は、特許第２８５７３５３号特許公報に示されるこの種の従来のキーボードスイッチ１００を示すもので、多数のキートップ１０２を支持する支持板１０７と各キートップ１０２との間に、クロスリンク１０１が設けられている。
【０００４】
クロスリンク１０１は、それぞれコの字形に成形された第１のリンク部材１０１ａと第２のリンク部材１０１ｂを、中間の回動支点、互いに回動自在に連結したもので、キートップ１０２を上下動自在に案内している。
【０００５】
図１３に示す動作位置において、キートップ１０２の下方には、復帰バネとして作用する倒椀状ゴム弾性部１１４が配置され、クロスリンク１０１の交差部に形成された押圧部１０６の下面に当接してる。
【０００６】
倒椀状ゴム弾性部１１４は、スイッチシート１０３上に積層されたラバーシート１０４に一体に形成され、倒椀状ゴム弾性部１１４の更に下方のスイッチシート１０３には、スイッチ部１０３ａが形成されている。これらのラバーシート１０４とスイッチシート１０３は積層された状態の可撓性シートとして、支持板１０７に形成されたガイドレール１０８上をスライドできるようになっている。また、積層された可撓性シート１０３、１０４の端面には、機器ケース１０９との間に復帰スプリング１１８が配設され、これらの可撓性シート１０３、１０４を図中左方に付勢している。
【０００７】
図１３に示す動作位置において、キートップ１０２を上方から押圧すると、キートップ１０２は、クロスリンク１０１に案内され、大きく傾斜することなく略平行状態を保ちながら下降し、その結果、キートップ１０２の押圧部１０６が、倒椀状ゴム弾性部１１４を屈曲させ、スイッチ部１０３ａをオン動作させる。
【０００８】
図１２に示すように、このキーボードスイッチが取り付けられる機器ケース１０９には、複数のキートップ１０２全体を覆う蓋１１５が回動自在に連結されている。蓋１１５の内面には、先端面が傾斜面となったカム突起１１７が垂設され、蓋１１５の閉じると、その傾斜面が可撓性シート１０３、１０４の側面を、復帰スプリング１１８の弾性に抗して、図中右方に押圧するようになっている。
【０００９】
従って、蓋１１５の閉じ操作に連動して、可撓性シート１０３、１０４は、キートップ１０２を支持する支持板１０７に対して相対的に図中右方の退避位置へスライドし、図１４に示すように、倒椀状ゴム弾性部１１４及びスイッチ部１０３ａは、キートップ１０２の収納凹部１１６下方に退避する。また、可撓性シートのうちラバーシート１０４には、第１のリンク部材１０１ａの脚部近傍に上向き突起１０４ａが突設され、ラバーシート１０４の左方へのスライドによって、クロスリンク１０１を強制的に沈み込ませる。クロスリンク１０１の沈み込みで、キートップ１０２は、下降し、キーボードスイッチ１００全体が低くなり蓋１１５に収納され、また、このようにキートップ１０２が下降しても、スイッチ部１０３ａはオン動作しない。
【００１０】
また、蓋１１５を開けると、可撓性シート１０３、１０４からカム突起１１７が離れ、可撓性シート１０３、１０４は、復帰スプリング１１８によって、図１３に示す動作位置まで左方にスライドする。これによって、キートップ１０２は、その下方の倒椀状ゴム弾性部１１４及びクロスリンク１０１により支持され、上方に復帰する。
【００１１】
このように、蓋１１５を閉じた際に、倒椀状ゴム弾性部１１４をキートップ１０２の収納凹部１１６内に退避させれば、蓋１１５を閉じた状態でノートパソコンの薄型化が図れるとともに、その閉じた状態において、ノートパソコンを使用しない長時間にわたり、スイッチ部１０３ａをオン動作させず、また、復帰バネである倒椀状ゴム弾性部１１４を屈曲した状態とすることがなくなる。
【００１２】
【発明が解決しようとする課題】
【００１３】
この従来のキーボードスイッチ１００においては、上述のように、カム突起１１７の傾斜面で、可撓性シート１０３、１０４の側面を押圧しスライドさせているが、カム突起１１７の傾斜面によって、可撓性シート１０３、１０４には、スライド方向（図中右方）の他に下方へも操作力が加わり、当接部が撓んでしまうことに加えて、復帰スプリング１１８からスライド方向と逆方向の力を受けるので、円滑にスライドさせることができないという問題があった。
【００１４】
また、可撓性シート１０３、１０４の側面を押圧してスライドさせるため、可撓性シート１０３、１０４のスライド方向に圧縮応力が生じ、撓んでしまうものであった。そのため、この従来のキーボードスイッチ１００では、金属裏張りシート１２１を可撓性シート１０３、１０４の底面に貼り付けて補強しているが、全体が厚くなり、蓋１１５を閉じた状態でノートパソコンを薄型化するという目的に逆行するものとなっていた。
【００１５】
また、可撓性シート１０３、１０４は、直接カム突起１１７に当接する構造なので、蓋１１５を開閉操作する毎に、可撓性シート１０３、１０４の側面が撓み、充分な耐久性が得られいという問題もあった。
【００１６】
更に、復帰スプリング１１８を用いて、可撓性シート１０３、１０４を動作位置まで復帰させる構造なので、蓋１１５の閉じ操作が重くなり、構造も複雑になるという問題があった。
【００１７】
本発明は、このような従来の問題点を考慮してなされたものであり、軽操作力で蓋を閉じ操作でき、しかも、耐久性のあるキーボードスイッチを提供することを目的とする。
【００１８】
また、復帰バネを用いない簡単な構成で、蓋の開閉に連動して可撓性シートを往復移動させるキーボードスイッチを提供することを目的とする。
【００１９】
【課題を解決するための手段】
上記目的を達成するため、請求項１のキーボードスイッチは、機器ケース内に収容された支持板と、支持板とキートップの間に取り付けられ、キートップを上下動自在に案内するクロスリンクと、キートップを上方へ付勢する復帰バネと、支持板上にスライド自在に支持される可撓性シートと、キートップを覆う蓋の開閉操作に連動して、可撓性シートを、動作位置と退避位置の間でスライドさせる連動機構と、可撓性シートに形成され、可撓性シートの動作位置で、キートップの押し下げにより動作するスイッチ部とを備え、蓋の閉じ操作で、退避位置にスライドする可撓性シートによって、クロスリンクを沈み込ませ、キートップを下降させるとともに、スイッチ部を、キートップが下降しても動作しない位置まで退避させるキーボードスイッチにおいて、
支持板からクロスリンクを支持する支持突起を切り起こし、スライド方向を長手方向とし、支持突起を遊嵌するスリットと、クロスリンクに一体に連設された従動爪片を挿入させる係合孔とが穿設された矩形状とした可撓性シートの隣り合う少なくとも２辺を、剛性の枠状リンク部（に固定し、枠状リンク部を介して可撓性シートを連動機構に連結し、可撓性シートが退避位置へスライドする際に、スリットに遊嵌する支持突起により可撓性シートのスライドを案内するとともに、スライドする係合孔の周縁を従動爪片に当接とさせて、クロスリンクを沈み込ませ、キートップを下降させることを特徴とする。
【００２０】
動作位置で、キートップを押圧すると、キートップの下降によりスイッチ部が動作し、また、押圧を解くと復帰バネにより、キートップが上昇し、スイッチ部の動作が解除する。
【００２１】
蓋の閉じ操作を行うと、閉じ操作に連動して、連動機構に連結する枠状リンク部が退避位置へ移動し、枠状リンク部に少なくとも２辺が固定された可撓性シートも、退避位置へスライドする。可撓性シートは、直交する２辺が剛性の枠状リンク部に固定されているので、スライド方向に撓むことなく、スライドする。
【００２２】
可撓性シートの退避位置へのスライドで、クロスリンクが沈み込み、キートップが下降して、閉じた蓋の内部に収容される。このとき、スイッチ部は、キートップの下降によっても動作しない位置まで退避する。
【００２３】
蓋の開操作を行うと、開操作に連動して、連動機構に連結する枠状リンク部が動作位置へ移動し、枠状リンク部に少なくとも２辺が固定された可撓性シートも、動作位置へスライドする。このスイライドにおいても、可撓性シートは、直交する２辺が剛性の枠状リンク部に固定されているので、撓まない。
【００２４】
可撓性シートは、スリットに支持突起が遊嵌することによって、別に案内部材を設けずに、スライド方向に案内される。
【００２５】
請求項２の発明は、請求項１記載のキーボードスイッチであって、更に、連動機構が、可撓性シートのスライド方向を軸方向として機器ケースに枢支され、周面にカム溝が形成されたシリンダと、可撓性シートのスライド方向にスライドし、シリンダの周面に嵌合する嵌合面に、カム溝に係合する従動ピンが突設されたスライダとからなる円筒カムで構成され、開閉操作による蓋の回転でシリンダを回転させ、スライダに固定した枠状リンク部を、動作位置と退避位置の間で、往復移動させることを特徴とする。
【００２６】
円筒カムによって、蓋の回転を枠状リンク部の往復スライド移動に変換するので、復帰バネを用いずに、軽操作で、しかも簡単な構造で、可撓性シートを動作位置と退避位置間で往復移動させることができる。
【００２７】
請求項３の発明は、請求項１または２記載のキーボードスイッチであって、スリットのスライド方向に沿った一辺に、係合孔を連続して穿設することを特徴とする。
【００２８】
【発明の実施の形態】
以下、本発明の一実施形態に係るキーボードスイッチ１を、図１乃至図１１で説明する。図１は、このキーボードスイッチ１が取り付けられたノートパソコン３０の蓋２９を開いた状態を示す斜視図であり、図に示すように、本実施の形態に係るキーボードスイッチ１は、ノートパソコン３０のキー入力デバイスとして用いられるもので、ノートパソコン３０を使用しない収納時には、ノートパソコン３０の機器ケース１４に対して回動自在に取り付けられた蓋２９の閉じ操作に連動して、各キースイッチ１０のキートップ２が下降し、蓋２９によって覆われるようになっている。
【００２９】
キーボードスイッチ１は、図２に示すように、キートップ２と、クロスリンク１３と、可撓性シートであるメンブレンスイッチシート３に形成したスイッチ部３ａとで構成したキースイッチ１０を、金属板、合成樹脂板などで構成した長方形の支持板１８上に多数配列してなるものである。
【００３０】
キートップ２は、ＡＢＳ樹脂などの合成樹脂の成型品からなり、このキートップ２の底面の後方（図２において、右方）に、クロスリンク１３の上部後方を回動自在に支持する一対のＵ字軸受け部６が、底面の前方（図２において、左方）に、クロスリンク１３の上部前方を回動かつ摺動自在に案内する一対のガイド受け部５が、それぞれ一体に形成されている。
【００３１】
クロスリンク１３は、それぞれ両側に平行な腕部７ａ、８ａを一体に備えた一組の合成樹脂製内側リンク７及び外側リンク８とからなり、両者は、両腕部７ａ、８ａの中央で交差した状態で回動自在に連結されている。
【００３２】
このクロスリンク１３は、前述のキートップ２底面と、支持板１８から切り起こされた支持突起１１、１２間に取り付けられるもので、内側リンク７と外側リンク８は、それぞれ一方がヒンジ端部、他方が移動端部となるように、取り付けられる。
【００３３】
すなわち、内側リンク７の後方は、枢軸７ｂがキートップ２のＵ字軸受け部６に回動自在に係合し、前方は、腕部７ａ、７ａの側方に突設された摺動突起７ｃが前方支持突起１１に穿設された長孔１１ａに遊嵌され、回動かつ前後方向に摺動自在に支持される。また、外側リンク８の前方は、連結板２２の両側に突設された摺動突起８ｂがキートップ２のガイド受け部５に回動かつ前後方向に摺動自在に係合し、後方は、腕部８ａ、８ａの側方に突設された枢軸８ｃが後方支持突起１２に穿設された円形孔１２ａに遊嵌され、回動自在に支持される。
【００３４】
このように、キートップ２底面と、支持板１８から切り起こされた支持突起１１、１２間にクロスリンク１３を連結することによって、キートップ２は、水平状態を維持したまま、クロスリンク１３により上下動自在に案内される。
【００３５】
内側リンク７の腕部７ａ、７ａの前方には、前方支持突起１１によって支持される位置より更に斜め下方に従動爪片１５が円弧状に連設されている。
【００３６】
また、外側リンク８の連結板２２の中央には、細長帯状の板バネ片２４が斜め下方に一体に連設されている。この板バネ片２４は、連結板２２の後方に片持ち支持され、下端となる自由端側の底面には、メンブレンスイッチシート３のスイッチ部３ａに弾性接触する円錐形の当接部２４ａが打ち出し形成されている。
【００３７】
メンブレンスイッチシート３は、下面に可動接点とその引き回しパターンが印刷された上部プラスチックシートと、上面に固定電極とその引き回しパターンが印刷された下部プラスチックシートと、その間に介在する絶縁スペーサシートとが積層され、その積層面が接着剤で接着されることにより、長方形状の３層の可撓性シートに一体化されたものである。上下のプラスチックシートの可動接点と固定接点が印刷された位置には、絶縁スペーサシートに円形孔が穿設され、その円形孔を介して、可動接点と固定接点がわずかな間隙をおいて対向し、スイッチ部３ａを構成している。
【００３８】
スイッチ部３ａが形成されたメンブレンスイッチシート３上には、弾性金属板を円板皿状に折り曲げて形成した皿バネ４が載置され、その周囲をメンブレンスイッチシート３に接着することによって固定している。
【００３９】
メンブレンスイッチシート３は、長方形の支持板１８上にその長手方向を一致させて積層され、支持板１８に対してその長手方向に往復スライド自在に配置される。このメンブレンスイッチシート３が、支持板１８から上方に切り起こされた前方支持突起１１及び後方支持突起１２と干渉せずにスライドするように、前方支持突起１１及び後方支持突起１２の突出位置には、ガイドスリット１９が穿設されている。
【００４０】
ガイドスリット１９は、前方支持突起１１と後方支持突起１２の厚さよりやや広い幅で、スライド方向、すなわちメンブレンスイッチシート３の長手方向に沿って細長に形成されるもので、これによって、メンブレンスイッチシート３は、支持突起１１、１２に案内され、その長手方向にスライド自在となっている。
【００４１】
前方支持突起１１が挿通するガイドスリット１９の内側には、内側リンク７の従動爪片１５を挿通させる係合孔１６がガイドスリット１９に連続して穿設されている。従動爪片１５は、メンブレンスイッチシート３が、後述する退避位置へ（図２において左下方へ）スライドする際に、係合孔１６の後方縁１６ａに当接して上方へ押し上げられ、内側リンク７の腕部７ａ、７ａを、摺動突起７ｃを中心に沈み込ませる方向に回転させる。
【００４２】
また、メンブレンスイッチシート３がスライドした退避位置で、板バネ片２４の当接部２４ａが弾性接触するメンブレンスイッチシート３の部位、すなわち、スイッチ部３ａのやや後方の位置には、円形の退避孔１７が穿設され、退避位置において板バネ片２４の先端を収容するようにしている（図１１参照）。
【００４３】
上述のスイッチ部３ａ、皿バネ４、ガイドスリット１９、係合孔１６、退避孔１７は、図３に示すように、キースイッチ１０が形成されるそれぞれの部位に形成される。図中、このメンブレンスイッチシート３の上辺と右辺には、これらの片に沿って、金属薄板を逆Ｌ字状に成形した枠状リンク部となるアングルプレート２７が固着されている。
【００４４】
図３、図４に示すように、アングルプレート２７の短片２７ａ側は、Ｕ字状に内側に折り返され、折り返された内側でメンブレンスイッチシート３の右片を挟持している。また、長片側２７ｂは、メンブレンスイッチシート３の上辺とともに貫通する図示しないリベットで、上辺の表面側に固定される。
【００４５】
長片側２７ｂには、後述するスライダ２６に連結する連結片２７ｃがクランク状に連設され、スライダ２６の移動をアングルプレート２７に伝達させて、メンブレンスイッチシート３をスライダ２６とともにスライドさせている。
【００４６】
このように、メンブレンスイッチシート３は、可撓性シートで構成されているが、その直交する少なくとも２辺が剛性の枠状リンク部であるアングルプレート２７に固定されるため、スライド移動させる際に、その一部に応力が集中することがないので、中間で歪むことがなく、支持板１８に沿って円滑にスライドさせることができる。
【００４７】
支持板１８は、機器ケース１４内に固定して収容されるもので、各キースイッチ１０毎にその対応部位に、前述の前方支持突起１１と後方支持突起１２が各一対切り起こされている。この前方支持突起１１を打ち抜いて形成される抜き孔１１ｂには、動作位置で、係合孔１６を挿通した内側リンク７の従動爪片１５の先端が収容されている（図８参照）。
【００４８】
メンブレンスイッチシート３は、機器ケース１４の蓋２９との連結部に設けられた連動機構によって、蓋の開閉操作に連動して往復スライドするようになっている。
【００４９】
本実施の形態では、蓋２９の回転を、メンブレンスイッチシート３の往復直線運動に変換する円筒カム３１を連動機構として用いるものであり、図５に示すように、機器ケース１４の長手方向と平行な軸回りに回転するシリンダ２５と、シリンダ２５に遊嵌し、シリンダ２５のカム溝２５ｂに係合するフォロアー２６ａが突設されたスライダー２６で構成されている。
【００５０】
図６に拡大して示すように、シリンダ２５は、金属製の円筒本体２５ａの一側面から、機器ケース１４に立設された軸受け板３２に挿通する枢軸２５ｃが一体に突設され、軸受け板３２に回転自在に枢支されている。枢軸２５ｃの中間周囲には、他端が蓋２９の背面にネジ止め固定された連動板３３が固定され、蓋２９の回転を枢軸２５ｃに伝達している。また、シリンダ２５の円筒本体２５ａに穿設されたカム溝２５ｂは、スライダ２６が動作位置と退避位置の間で往復移動するように、円周方向に沿ってクランク状に形成されている。
【００５１】
スライダ２６は、一端が、シリンダ２５の円筒本体２５ａ内に遊嵌する円柱状に形成されたスライダ本体２６ｂと、スライダ本体２６ｂとの間で、前述したアングルプレート２７の連結片２７ｃを挟持し、スライダ本体２６ｂの下方で、ネジ止め固定される直方体状のスライダブロック２６ｃとからなっている。
【００５２】
フォロアー２６ａは、スライダ本体２６ｂの円柱状部の外周面にピン状に突設され、円筒本体２５ａ内にスライダ本体２６ｂが遊嵌された状態で、カム溝２５ｂに内側から係合する。
【００５３】
スライダブロック２６ｃは、機器ケース１４の長手方向に沿って、その表面側に凹設されたガイド溝３４に下部が遊嵌することによって、スライダ２６全体を、シリンダ２５の軸線上に支持しながら、機器ケース１４の長手方向、すなわちシリンダ２５の軸方向に往復スライドするように案内している。
【００５４】
その結果、蓋２９が開閉操作によって回転すると、スライダ２６は、機器ケース１４の長手方向に往復直線運動を行うものであり、図５に示すように、スライダ２６の移動に伴って、アングルプレート２７を介してメンブレンスイッチシート３が、実線で示す退避位置と、破線で示す動作位置間を往復スライドする。
【００５５】
このように構成されたキーボードスイッチ１の動作を以下に説明すると、キーボードスイッチ１の蓋２９を開いた状態では、スライダ２６のスライダ本体２６ｂは、シリンダ２５の円筒本体２５ａ内に最も侵入し、メンブレンスイッチシート３は、図７に示す動作位置にあり、機器ケース１４若しくは支持板１８に対して図中最も右よりの位置（図５の破線で示す位置）に移動している。
【００５６】
図８は、この動作位置において、キースイッチ１０の入力操作がまだ行われず、キートップ２に押圧力が加えられていない状態を示している。この待機状態で、皿バネ４は、板バネ片２４の当接部２４ａが適当な弾力で当接する位置にあり、板バネ片２４の弾性で、外側リンク８が上方へ引き上げられている。その結果、キートップ２は、クロスリンク１３によって最も高い位置に支持される。
【００５７】
動作位置において、キートップ２を押圧すると、図９に示すように、キートップ２は、クロスリンク１３によって水平を保ちながら下降し、板バネ片２４の当接部２４ａが皿バネ４を更に押圧して屈曲させる。この皿バネ４の屈曲により、メンブレンスイッチシート３に形成されたスイッチ部３ａの可動接点は固定接点に接触し、スイッチ部３ａがオン動作する。
【００５８】
キートップ２の押圧を解くと、皿バネ４は自らの弾性で復帰し、スイッチ部３ａは、オフとなる。また、クロスリンク１３は、復帰しようとする板バネ片２４に付勢されて引き上げられ、図８の動作位置に、キートップ２が復帰する。
【００５９】
このキーボードスイッチ１を機器ケース１４内に収容するため、蓋２９を閉じ操作すると、蓋２９の閉回転によりシリンダ２５が回転し、カム溝２５ａに沿って移動するフォロアー２６ａによって、スライダ２６は、シリンダ２５から脱出する方向の図１０に示す待機位置まで移動する。このスライダ２６の移動とともに、アングルプレート２７に固定されたメンブレンスイッチシート３も、図５において破線で示す動作位置から実線で示す左方の退避位置までスライドする。
【００６０】
このスライドにおいて、メンブレンスイッチシート３は、周囲の２辺が剛性のアングルプレート２７で固定されているので、中間で歪むことがなく、また、支持板１８から切り起こされた多数の前方支持突起１１と後方支持突起１２が、ガイドスリット１９に挿通するので、支持板１８の長手方向に正確にスライドする。
【００６１】
このとき、メンブレンスイッチシート３は、図１１の矢印で示すように、支持板１８及び支持板１８に取り付けられたクロスリンク１３に対して左方に移動するので、係合孔１６の後方縁１６ａは、従動爪片１５に当接し、内側リンク７の腕部７ａを、摺動突起７ｃを中心に図中時計回りに回転させる。その結果、クロスリンク１３は沈み込み、キートップ２が下降し、蓋２９でキートップ２を覆った状態で、機器ケース１４の全体を薄型化できる。
【００６２】
図１１の退避位置において、板バネ片２４の当接部２４ａは、メンブレンスイッチシート３の退避孔１７内に収容される。その結果、板バネ片２４を、略その自由状態で機器ケース１４内に収容することができ、弾性変形させたまま板バネ片２４を収容することがないので、疲労若しくは塑性変形が生じない。
【００６３】
また、板バネ片２４の当接部２４ａにあった皿バネ４とスイッチ部３ａは、メンブレンスイッチシート３の左方へのスライドによって左方に退避するので、スイッチ部がキートップ２の下降で誤動作することがない。
【００６４】
キーボードスイッチ１を再び使用するため、蓋２９を開くと、シリンダ２５とスライダ２６の円筒カム機構によって、スライダ２６は、図７のシリンダ２５に侵入する動作位置に移動し、連動するメンブレンスイッチシート３は、特に復帰させるためのバネ機構などを用いずに、図５において、実線で示す退避位置から破線で示す右方の動作位置へスライドする。
【００６５】
その結果、従動爪片１５に当接していた係合孔１６の後方縁１６ａは、右方に後退し、従動爪片１５への拘束が解かれる。同時に、メンブレンスイッチシート３のスライドによって、板バネ片２４の自由端は、退避孔１７から脱して、当接部２４ａがメンブレンスイッチシート３上に弾性接触する。その結果、板バネ片２４の弾性によって、クロスリンク１３が引き上げられ、キートップ２は、動作位置へ復帰する。また、メンブレンスイッチシート３のスライドによって、皿バネ４とスイッチ部３ａは、板バネ片２４の当接部２４ａの下方に戻り、キースイッチ１０全体が図８の動作位置に復帰する。
【００６６】
上述の退避位置及び動作位置間でのメンブレンスイッチシート３の往復移動において、メンブレンスイッチシート３は、周囲の２辺が剛性のアングルプレート２７で固定されているので、中間で歪むことがなく、また、支持板１８から切り起こされた多数の前方支持突起１１と後方支持突起１２が、ガイドスリット１９に挿通するので、支持板１８の長手方向に正確にかつ円滑にスライドする。
【００６７】
本発明は、上述の実施形態に限定されることなく種々変更が可能であり、例えば、上述の実施の形態では、蓋の開閉操作に連動してメンブレンスイッチシートをスライドさせる連動機構として、シリンダ２５とスライダ２６からなる円筒カムを用いているが、傘歯車などを用いた他の連動機構を用いてもよい。
【００６８】
また、シリンダ２５のカム溝２６ａに、スライダ２６のフォロアー２６ａを内側から係合させているが、シリンダ２５外にスライダ２６を配設し、カム溝２６ａの外側からフォロアー２６ａを係合させてもよい。
【００６９】
更に、枠状リンクとなるアングルプレート２７は、可撓性シート３の２辺に固定したが、周囲の３片若しくは４片に固定するものであってもよい。
【００７０】
更に、キースイッチ１０の各構成は、本発明の範囲内で種々変形するすることが可能で、例えば、キートップ２を復帰させる板バネ片２４は、スイッチ部３ａを動作させるアクチュエータを兼ねるものであったが、復帰バネとして作用する板バネ片２４と別に、キートップ２若しくはクロスリンク１３にスイッチ部３ａを押圧するアクチュエータを設けてもよい。
【００７１】
【発明の効果】
以上説明したように、請求項１の発明によれば、キーボードスイッチ１の機器ケース１４への収納時に、複雑な機構を設けることなく、閉じる蓋２９に連動してスライドするメンブレンスイッチシート３を利用してキートップ２を下降させることができるので、キートップ２が閉じられた蓋２９に干渉することがなく、蓋２９の裏側に配置された液晶ディスプレーを破損させたり、逆に、蓋２９によって、キートップ２が破損するということがなく、機器ケース１４全体を薄型化できる。
【００７２】
また、蓋の開閉操作に連動してスライドする可撓性シートは、直交する２辺が剛性の枠状リンク部に固定されているので、スライドの際に撓まない。
【００７３】
更に、これに加えて、別に案内部材を設けずに、可撓性シート３をスライド方向に正確に案内できる。
【００７４】
また、請求項２の発明によれば、これに加えて、円筒カムによって、蓋の回転を枠状リンク部の往復スライド移動に変換するので、復帰バネを用いずに、軽操作で、しかも簡単な構造で、可撓性シートを動作位置と退避位置間で往復移動させることができる。
【図面の簡単な説明】
【図１】  本発明の一実施形態に係るキーボードスイッチ１が取り付けられたノートパソコン３０の蓋２９を開いた状態を示す斜視図である。
【図２】  キースイッチ１０の各構成を示す分解斜視図である。
【図３】  アングルプレート２７とメンブレンスイッチシート３を示す平面図である。
【図４】  アングルプレート２７の
（ａ）は、正面図、
（ｂ）は、側面図である。
【図５】  蓋２９を省略したキーボードスイッチ１の平面図である。
【図６】  連動機構２５、２６を拡大して示す分解斜視図である。
【図７】  動作位置にある連動機構２５、２６を拡大した部分平面図である。
【図８】  キーボードスイッチ１が動作位置にあるキースイッチ１０の要部断面図である。
【図９】  図８の動作位置において、キートップ２が押し下げられた状態を示すキースイッチ１０の要部断面図である。
【図１０】  退避位置にある連動機構２５、２６を拡大した部分平面図である。
【図１１】  退避位置にあるキースイッチ１０の要部断面図である。
【図１２】  蓋１１５を開いた状態の従来のキーボードスイッチ１００の部分破断正面図である。
【図１３】  動作位置のキーボードスイッチ１００を示す要部縦断面図である。
【図１４】  退避位置のキーボードスイッチ１００を示す要部縦断面図である。
【符号の説明】
１      キーボードスイッチ
２      キートップ
３      可撓性シート（メンブレンスイッチシート）
３ａ    スイッチ部
１１    前方支持突起
１２    後方支持突起
１３    クロスリンク
１４    機器ケース
１８    支持板
１９    スリット（ガイドスリット）
２５    シリンダ（連動機構）
２５ａ  カム溝
２６    スライダ（連動機構）
２６ａ  従動ピン（フォロアー）
２７    枠状リンク部（アングルプレート）
２９    蓋
【図１】
0003701548.tif 000002
【図２】
0003701548.tif 000003
【図３】
0003701548.tif 000004
【図４】
0003701548.tif 000005
【図５】
0003701548.tif 000006
【図６】
0003701548.tif 000007
【図７】
0003701548.tif 000008
【図８】
0003701548.tif 000009
【図９】
0003701548.tif 000010
【図１０】
0003701548.tif 000011
【図１１】
0003701548.tif 000012
【図１２】
0003701548.tif 000013
【図１３】
0003701548.tif 000014
【図１４】
0003701548.tif 000015